(57)【要約】【課題】  外枠に開閉可能に連結支持された前枠を適正な水平姿勢・位置に保持でき、且つ、前枠を楽に且つ軽快に開閉（引き出し・押し込み）できるようにする。【解決手段】  パチンコ機ＰＭが、外枠２０と外枠２０の側部にヒンジ結合されて横開き可能に取り付けられた前枠３０と前枠３０に装備された遊技構成部材とを有し、全体として縦向きに立設されて遊技に供される。外枠２０を構成する下枠部材２４が幕板部２５および底板部２６とから樹脂材料により一体に形成され、下枠部材２４の下面に接合された下面板２９とから構成される。そして、幕板部２５のヒンジ結合部と反対側の裏面に支持ローラ２７７を有した前枠支持機構２７が設けられて、前枠３０のスムーズな開閉ガイドを行うとともに閉鎖状態での前枠３０の支持を行う。さらに、外枠２０に対して前枠３０の上下動を抑制する第１および第２上下動抑止機構２８，７０を備える。【選択図】  図７
2006034334.tif 000002
【特許請求の範囲】
【請求項１】
固定保持用の外枠と、前記外枠の側部にヒンジ結合されて横開き可能に取り付けられるとともに常時は前記外枠の前面開放空間を覆って閉止保持される前枠と、前記前枠の所要設定位置に装備された遊技構成部材とを有し、全体として縦向きに立設されて遊技に供される縦型遊技機において、
前記外枠が上枠部材、左枠部材、右枠部材および下枠部材から矩形枠状に形成され、前記外枠に前記前枠が閉止保持された状態で前記前枠より下側において前面に露出する部分を覆う幕板部を有して前記外枠が構成され、
前記幕板部における前記ヒンジ結合部と左右方向反対側に、前記幕板部の上面より上方に突出して閉止保持状態の前記前枠の下面を当接支持する前枠支持機構が設けられ、
前記前枠の下部および前記幕板部に、前記前枠が閉止保持された状態で互いに係合して前記前枠が前記外枠に対して上下方向に移動することを規制する第１の上下動抑止機構が設けられ、
前記前枠の上部および前記上枠部材に、前記前枠が閉止保持された状態で互いに係合して前記前枠が前記外枠に対して上下方向に移動することを規制する第２の上下動抑止機構が設けられていることを特徴とする縦型遊技機。
【請求項２】
前記第１および前記第２の上下動抑止機構が、弾性力を有して前記前枠が外枠に対して上下方向に移動することを規制するように構成されていることを特徴とする請求項１に記載の縦型遊技機。
【発明の詳細な説明】
【技術分野】
【０００１】
本発明は、固定保持用の外枠と、外枠の側部にヒンジ結合されて横開き可能に取り付けられるとともに常時は外枠の前面開放空間を覆って閉止保持される前枠と、前枠の所要設定位置に装備された遊技構成部材とを有し、全体として縦向きに立設されて遊技に供される縦型遊技機に関する。
【背景技術】
【０００２】
上記のような縦型遊技機として、パチンコ機やアレンジボール機、雀球機などが知られている。この種の遊技機の代表例とされるパチンコ機では、前枠が外枠の側部にヒンジ機構を介して開閉可能に連結され、反対側側部に設けられた施錠装置を用いて常には外枠の前面を覆う閉鎖姿勢で前枠が閉止保持される。この前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等を備えた裏セット盤、パチンコ機の作動を制御する各種制御基盤や中継基盤など、各種の遊技構成部材が各々の設定位置に装備されている。
【０００３】
ここで、上記のように遊技構成部材が装備されて前枠と遊技構成部材とが一つにまとめられた前枠全体（以下、「前枠構造体」という）はかなりの重量となる。このため、パチンコ機では通常の形態として、重量のある前枠構造体と比較的軽量な外枠とが別に取り扱われ、前枠構造体が外枠に対してヒンジ機構を用いて片持ち支持形態で連結されて開閉できるようになっている。なお、外枠は、木材や硬質樹脂材により形成された複数本の定尺枠部材を枠組み連結して構成されている（例えば、特許文献１〜４参照）。また、ヒンジ機構は、外枠と前枠の互いの一側縁（例えば正面左側の側縁）上下に固定された外枠側および前枠側ヒンジ金具の軸ピンと軸孔との嵌合いにより連結するように構成されているものが多用されている。
【０００４】
ところで、パチンコ機では本来の縦向き遊技提供状態において、重量物である前枠構造体の裏セット盤内に多数の金属製遊技球を貯留しており、全体として相当な重量となる。このため、外枠に対して左側縁上下のヒンジ機構で片持ち連結支持されている前枠は、ヒンジ機構の軸ピンと軸孔との嵌合差（径差）やヒンジ金具の撓みに起因して反支点側（正面右側）が下傾して、水平姿勢・位置を保持できなくなるおそれがある。この結果、前枠およびこれにより保持された遊技構成部材が傾き変位し、それぞれの球通流路の勾配変化による球流れ不良を招く等、本来の設計意図に基づく安定したゲームが展開維持し得なくなるという問題が生じるおそれがある。それだけに前枠構造体を適正な姿勢・位置に保持することが重要であり、またその支持技術手段が不可欠である。
【０００５】
そこで、従来からパチンコ機に実施されている一般的な枠構造では、外枠を遊技施設の遊技島に設置する際に外枠を適正な姿勢・位置に調整して固定し、このように姿勢調整された外枠に前枠構造体を連結させて閉止したときに、前枠構造体が適正な姿勢・位置に支持されるように構成されている。具体的には、外枠と前枠の互いの下部整合部位、すなわち、外枠の前側開口面域下端に位置する耐久強度の高い支持台板（「幕板」）の上端面において左右方向の傾きが水平になるように水平調整を行い、さらに外枠の前後方向の傾きが所定の後傾角度（一般に１度以内の後傾角度とされる）になるように傾斜調整を行って、外枠を適正な姿勢・位置に調整したうえで遊技島に釘打ち固定する。一方、ヒンジ機構と反対側にあたる右側の下部整合部分には、ヒンジ機構の連結支持高さ位置を基準とする係合支持部が設けられ、左側のヒンジ機構と右側の係合支持部とで前枠を支持することで、前枠を閉鎖した遊技提供時に前枠構造体が適正な左右方向の水平姿勢・位置および所定の後傾姿勢で保持されるように構成されている。
【０００６】
このように従来のパチンコ機に実施されている一般的な枠支持手段では、外枠と前枠の互いの下部整合部位、すなわち、外枠の前側開口面域下端に位置する耐久強度の高い支持台板（幕板ともいう）の上端面と、前枠自体の下端面とに、所定厚みの座金具が配設され、この両座金具の上下整合当接状態で、前枠の水平保持を図っていた。しかし、この枠支持手段では、互いに平面当接し合う上下の座金具が、前枠側全体の荷重を受けて強く圧接する構造のためか、前枠の開閉の際、両座金具が離隔するまで、又当接整合するまでの間において、楽に且つスムーズに開閉できなかった。しかも解放時に前枠が下傾し、閉鎖（押し込み）時に前枠を持ち上げることを必要とすることを含めて、その作業に案外労力を要した。
【０００７】
このため近年においては、パチンコ機の前枠に係る支持技術例として、特許文献５に開示される「ゲーム機用施錠装置」に付設された枠支持手段が提案されている。この枠支持手段によれば、施錠装置の本体、すなわち薄肉金属部材より加工成形されて前枠の側縁裏側に固定された縦長レール状の基枠体の下端支持部分に、前枠裏面から後方へ大きく離隔した位置にローラが支持されており、このローラが、ゲーム機の本体（外枠に相当）の側枠板内側の中下段部に固定された受け具の水平状部分に搭載した条件で、前枠側全体を支えるように企図している。
【０００８】
【特許文献１】特許第２５０５６３０号公報
【特許文献２】特許第２５５１８８０号公報
【特許文献３】特許第２６７３４１１号公報
【特許文献４】特許第２８５６３２１号公報
【特許文献５】実開平５−８８５８５号公報
【発明の開示】
【発明が解決しようとする課題】
【０００９】
しかしこの枠支持手段では、十分な耐久強度が望めない側枠板において、ローラが受け具に搭載している間、前枠側全体の重量がローラに対して大きな剪断的荷重あるいは大きなモーメント的荷重として作用し続けることになり、また前枠を閉鎖（押し込む）する都度、ローラが受け具に強く衝突して搭載することになるため、構成部分さらには側枠板の変形を招きやすい。現にこのような枠支持手段を使用したパチンコ機では、短期間の実施において、前記基枠体の下端支持部分や受け具の水平状部分が変形しており、前枠側全体の水平保持が困難となっている。
【００１０】
さらに、従来のパチンコ機においては、外枠に対して前枠を開閉自在に支持するヒンジ機構が前枠を着脱自在に支持する構成を採用しており、前枠は下側のヒンジ機構を構成するヒンジ部材に載置されて支持され、且つヒンジ機構と反対側においても受け具上に載置されて支持されるように構成されている。すなわち、前枠を持ち上げる外力が作用すると前枠が外枠に対して上動（浮き上がる方向の移動）し、外枠内でがたつく構成であった。このため、遊戯中に前枠を不正に持ち上げて傾けて遊技球の落下方向を変化させる等のトラブルの発生が懸念されるばかりでなく、このように前枠を不正に持ち上げたり下ろしたりするときの振動により、内部電気部品が損傷するおそれがあるという問題があった。また、例えば、パチンコ機の搬送時などにおいて、パチンコ機を搭載した車両の走行振動などにより外枠内で前枠が上下に振動するもしくはがたついて、内部部品の故障、損傷の原因となるおそれがあるという問題が生じていた。
【００１１】
本発明は、このような課題に鑑みたもので、縦向きで遊技に供される縦型遊技機にあって、前枠を外枠に開閉可能に且つ十分な合成を有して連結支持して適正な水平姿勢・位置に保持でき、且つ、前枠に外力が作用しても外枠内で前枠が上下にがたつく（上下動するもしくは浮き上がる）ことがないような構成とされた縦型遊技機を提供することを目的とする。
【課題を解決するための手段】
【００１２】
このようなことから、本発明に係る縦型遊技機は、固定保持用の外枠と、この外枠の側部にヒンジ結合されて横開き可能に取り付けられるとともに常時は外枠の前面開放空間を覆って閉止保持される前枠と、この前枠の所要設定位置に装備された遊技構成部材とを有し、全体として縦向きに立設されて遊技に供されるように構成され、外枠が上枠部材、左枠部材、右枠部材および下枠部材から矩形枠状に形成され、この外枠に前枠が閉止保持された状態で前枠より下側において前面に露出する部分を覆う幕板部を有して外枠が構成される。そして、幕板部におけるヒンジ結合部と左右方向反対側に、幕板部の上面より上方に突出して閉止保持状態の前枠の下面を当接支持する前枠支持機構が設けられ、前枠の下部および幕板部に、前枠が閉止保持された状態で互いに係合して前枠が外枠に対して上下方向に移動することを規制する第１の上下動抑止機構が設けられ、前枠の上部および上枠部材に、前枠が閉止保持された状態で互いに係合して前枠が外枠に対して上下方向に移動することを規制する第２の上下動抑止機構が設けられている。
【００１３】
なお、これら第１および前記第２の上下動抑止機構が、弾性力を有して前枠が外枠に対して上下方向に移動することを規制するように構成されているのが好ましい。
【発明の効果】
【００１４】
上記構成の本発明に係る縦型遊技機によれば、幕板部におけるヒンジ結合部およびこれに対して左右方向反対側に設けられた前枠支持機構が閉止保持状態の前枠の下面を左右において当接支持するため、前枠をヒンジ機構および前枠支持機構により高い剛性を有して安定して支持することができる。さらに、第１および第２の上下動抑止機構は前枠が外枠に対して上下方向に移動することを規制するので、遊戯中に前枠を不正に持ち上げて傾けて遊技球の落下方向を変化させる等といったトラブルを未然に防止できる。さらに、車両に搭載して縦型遊技機を搬送するようなときに車両の走行振動を受けて外枠に対して前枠が上下動する（外枠に対して前枠ががたつくもしくは浮き上がる）ことがなく、安定した状態で安全に搬送することができる。
【００１５】
なお、第１および前記第２の上下動抑止機構が、弾性力を有して前枠が外枠に対して上下方向に移動することを規制するように構成されているのが好ましく、これにより、前枠と外枠との寸法誤差を適切に吸収しつつ、外枠に対する前枠の上下動を確実に抑止できる。さらに、車両に搭載して縦型遊技機を搬送するようなときに車両の走行振動を受けて外枠が振動したときに、この外枠の振動を上下動抑止機構の弾性力により吸収して前枠に振動が伝達するのを抑止できる。
【発明を実施するための最良の形態】
【００１６】
以下、図面を参照して本発明の好ましい実施形態について説明する。本発明に係る縦型遊技機の一例として、遊技島に取り付けられた状態におけるパチンコ機ＰＭを図１及び図２に示しており、まずこれらの図を参照して遊技島を構成する島構造体１０およびパチンコ機ＰＭの全体概要構成について説明する。
【００１７】
島構造体１０は、天井側から順に配設された、島幕板１１と、呼び出しランプ１２ａを有したランプ板１２と、パチンコ機ＰＭを横に１列に並んで配設するために横方向に所定間隔を有して設けられた保持枠１３と、球箱載せ台となる天板１４と、天板１４から下方に床面まで延びる腰板１５とから構成される。そして、ランプ板１２と天板１４との上下間隔内において保持枠１３により仕切られて横方向に並んだ複数の空間内にそれぞれパチンコ機ＰＭが図示のように取り付けられる。なお、このように取り付けられたパチンコ機ＰＭの背面側には、後述するように遊技中において入賞装置に入賞せずにアウト口に入り込んだアウト球をホール側に回収するための回収装置（図示せず）が島設備として設けられている。
【００１８】
このようにして島構造体１０に取り付けられるパチンコ機ＰＭの構成について簡単に説明する。パチンコ機ＰＭは、外郭方形枠サイズに構成されて縦向きの固定保持枠をなす外枠２０の前面開口に、これに合わせた方形枠サイズに構成されて開閉搭載用の前枠３０が前面左側に設けられた上下ヒンジ機構５０，５１により外枠２０に対して横開き開閉および着脱が可能に取り付けられ、施錠装置３２により常には外枠２０の前面を覆った閉止状態で保持される。
【００１９】
上記外枠２０は、木材や樹脂等で成形加工された複数本の定形尺の枠部材すなわち上枠部材２１および左右枠部材２２，２３と、下枠部材２４と、下枠部材２４の下面に接合された下面板２９とを直角に枠組み連結して構成されており、ランプ板１２、左右の保持枠１３および天板１４に囲まれた空間内に固定される。なお、下枠部材２４は、前枠３０の下側において前面に露出する部分をなす幕板部２５と、幕板部２５の下端に繋がって後方に延びた底板部２６とを備えて樹脂材料により一体に形成されている。このように樹脂材料を使用することにより、下枠部材２４についてはこれをそのまま廃棄することなく、溶融して再利用可能である。
【００２０】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基盤とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００２１】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１が設けられている。なお、詳細図示しないが、上球皿部４１に前面側が覆われた前枠３０の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００２２】
さらに、前枠３０の前面における上球皿装置４０の下側に下球皿装置４３が前方に突出して設けられている。この下球皿装置４３は、上球皿部４１内に貯留された入賞球がオーバーフローしたときや、遊技者が上球皿装置４０の球排出レバー４２を操作して上球皿部４１から入賞球が排出されたときに内部に形成された球皿通路を介して送られてくる入賞球を受容して貯留する下球皿部４４と、下球皿部４４の右側に位置して遊技球の発射操作を行う発射ハンドル４５と、下球皿部４４の左側に位置する灰皿４６、下球皿部４４内に貯留した遊技球を下方に載置された球箱（図示せず）内に落下排出させるための球抜きレバー４７とから構成されている。なお、下球皿部４４の底面には球排出孔が形成されており、この球排出口を開閉自在に覆う球抜き蓋を球抜きレバー４７の操作により開放して、下球皿部４４内の遊技球を球箱内に排出できるようになっている。
【００２３】
前枠３０の裏面側には、球貯留タンク６１、球貯留タンク６１から供給された遊技球を落下移動させつつ整列させるタンクレール６２、遊技盤３３における入賞状態等に基づいてタンクレール６２を通ってタンク６１から供給される遊技球を賞球として払い出す球払出装置６３、遊技中での各種制御を行うための電源基盤６４、主基盤６５、画像表示装置３７の裏面側に位置して画像表示制御を行う画像制御基盤６６等が図示のように配設されている。なお、図示していないが、内部には、球払出装置６３から払い出された賞球を上球皿部４１に導く賞球通路や、遊技中において遊技盤３５の入賞具３８に入賞することなく落下してアウト口３９に入り込んだ遊技球をパチンコ機ＰＭの背面側に導くアウト球通路が設けられている。
【００２４】
以上の構成のパチンコ機ＰＭにおいて、外枠２０の下部を構成する下枠部材２４および下枠部材２４の下面に接合される下面板２９について、図３〜図６を参照して説明する。下枠部材２４は、外枠２０の前面に閉鎖状態で保持された前枠３０の下側において前面に露出する部分を覆うように位置する垂直板状の幕板部２５と、幕板部２５の下縁から水平に後方に延びた平板状の底板部２６と、底板部２６の底面前部において下方に突出するとともに横方向に延びる下面前端部２６５とからなり、樹脂材料により一体に成形されて作られている。なお、下面前端部２６５の前面には、図７〜図１０に示すような左右に延びる凹部２６５ｂが形成されており、この凹部２６５ｂを覆って下端キャップ２６６が取り付けられるようになっている。
【００２５】
幕板部２５は、前面が垂直平面からなり、後面に桁枠状の補強リブ２５１を有しており、左右端部に前後に垂直に延びる板状の結合面部２５２を有している。なお、結合面部２５２は底板部２６と同一の前後長さを有した矩形板状に形成されており、幕板部２５および下面前端部２６５はこれら左右の結合面部２５２より外側に延出した幕板延出部２５３および下面前端延出部２６５ａを有している。
【００２６】
下面板２９は底板部２６における下面前端部２６５より後側の下面と同一の大きさで且つ下面前端部２６５と同一厚さの木製板材から構成されており、この下面板２９が下面前端部２６５の後側に繋がるようにして底板部２６の下面に接合される。この結合は、例えば、下面板２９の挿入孔から挿入した結合ネジを下面板２９に形成したネジ孔に螺合させて行われる（この結合構造は図示せず）が、これに代えて接着しても良い。さらに、図８および図９に示すように、下面前端部２６５の凹部２６５ｂに前後に貫通して形成されたネジ挿入孔２６５ｃに結合ネジ２６７を挿入して下面板２９に螺合させてこの部分においても下枠部材２４と下面板２９とが結合される。このようにして結合ネジ２６７を取り付けた後に、凹部２６５ｂに図示のように下端キャップ２６６が取り付けられ、結合ネジ２６７のヘッド部２６７ａを隠し、外観を良くしている。
【００２７】
このように構成された下枠部材２４が左右枠部材２２，２３の下部に結合されて外枠２０が構成されるのであるが、この結合部の構成を説明する。この結合は、左右枠部材２２，２３の下部内側面が結合面部２５２の外側面に接触し、下部前面が幕板延出部２５３の後面に接触し、底面が下面板２９の左右端部の上面に接触するように、下枠部材２４の左右端部に左右枠部材２２，２３を載置し、結合面部２５２と左右の枠部材２２，２３とをリベット結合して行われる。このリベット結合のため、左右の結合面部２５２および左右枠部材２２，２３にそれぞれ４カ所においてリベット挿通孔２５２ａ，２２ａ，２３ａが形成されており、図４〜図７に示されているように、これらリベット挿通孔２５２ａ，２２ａ，２３ａにリベット２２２，２３２を挿通させて左右の結合面部２５２に左右枠部材２２，２３をリベット結合する。このとき、リベット２２２，２３２の頭部が外側面に突出しないように、左右枠部材２２，２３の外側面に前後に延びる凹溝２２１，２３１が形成されており、且つリベット２２２，２３２の両端頭部と結合面部２５２および左右枠部材２２，２３との間に受け座金２２３，２３３が挟持されて、リベット結合強度の低下（へたり）を防止している。
【００２８】
さらに、幕板延出部２５３の後面には、図１０に詳しく示すように、ネジ挿入口２５３ｂが形成されたボス部２５３ａが設けられており、前面にはネジ挿入口２５３ｂが開口するキャップ取付凹部２５３ｃが形成されている。この幕板延出部２５３の前面側からネジ挿入口２５３ｂにネジ２５４を挿入して左右枠部材２２，２３に螺合させ、左右枠部材２２，２３と幕板部２５とを結合させる。この後、キャップ取付凹部２５３ｃに図示のようにキャップ２５５を取り付けて、外観を損なうことを防止するようにしている。このようにして、リベット２２２，２２３およびネジ２５４により左右枠部材２２，２３が下枠部材２４にしっかりと結合される。
【００２９】
ところでパチンコ遊技業界では、「遊技島」を構成する島構造体１０における設置台枠の収容部のサイズが地域によって異なっており、大別すれば、西日本地域で多く採用されている通称「関西枠」と、東日本地域で多く採用されている「関東枠」の二種類があり、「関西枠」が「関東枠」より大きな収容部サイズを有している。このような関西枠および関東枠の二種類のサイズに対応するため、本実施形態に係るパチンコ機ＰＭにおいては、下枠部材２４を二種類用意するようにしている。すなわち、図３（Ａ）に示すように、下面板２９を接合した状態の下枠部材２４の高さ寸法Ｂを関東枠用に設定したものと、図３（Ｂ）に示すように、下面板２９（二点鎖線で示す）を接合した状態の下枠部材２４′の高さ寸法Ｂ′を関西枠用に設定したものとを用意し、関東枠用のパチンコ機ＰＭには図３（Ａ）に示す下枠部材２４を組み付け、関西枠用のパチンコ機ＰＭには図３（Ｂ）に示す下枠部材２４′を組み付けて外枠２０を作成する。
【００３０】
なお、関東枠用の下枠部材２４と関西枠用の下枠部材２４′とは、幕板部２５，２５′の上下寸法を変更した形状により対応している。具体的には、幕板部２５，２５′（幕板延出部２５３，２５３′）の上端面から底板部２６の下面までを、関東枠用の下枠部材２４では寸法Ａとし、関西枠用の下枠部材２４′では寸法Ａ′（Ａ＜Ａ′）としている。このため、関東枠用の下枠部材２４と関西枠用の下枠部材２４′とは、幕板部２５，２５′と、結合面部２５２、２５２′と、幕板延出部２５３，２５３′とをそれぞれに対応する寸法に設定すればよく、その他の部分、すなわち、底板部２６および下面前端部２６５については同一寸法である。また、下面板２９についても共用できる。
【００３１】
上記のように下面板２９が接合された下枠部材２４，２４′と左右枠部材２２，２３とを結合するとともに、上枠部材２１の左右端部に左右枠部材２２，２３の上端部を結合して関東枠用および関西枠用の外枠２０が作られるのであるが、上枠部材２１と左右枠部材２２，２３の結合構造は従来と同一であるので、その説明は省略する。
【００３２】
図１及び図２に示すようにパチンコ機ＰＭは遊技島構造体１０に取り付けられるのであるが、このときに、まず上記のように矩形枠状に構成された外枠２０が単体で遊技島構造体１０に取り付けられる。この取付は、底板部２６および下面板２９を釘（例えば、五寸釘）により天板１４に打ち付けて行われる。このとき、下枠部材２４は樹脂材料により形成されているため、釘を底板部２６に直接打ち込んだのでは底板部２６が割れたり、ヒビが入ったりするおそれがある。このため、図５および図６に示すように、底板部２６の左右２カ所に前後方向の後部側に位置して、左右に延びた長孔からなる釘打ち孔２６１が形成されており、この釘打ち孔２６１から下面板２９を貫通して釘を天板１４に打ち込んで、底板部２６および下面板２９を天板１４に結合固定するようになっている。
【００３３】
このようにして釘により下枠部材２４を天板１４に固定するとともに、上枠部材２１を同様に釘により島構造体１０を構成する部材（ランプ板１２の後側に位置する構造部材）に固定し、外枠２０を所要の後傾角度（通常は、１度以内の角度）で島構造体１０に固定する。そして、上下のヒンジ機構５０，５１を介して前枠３０を外枠２０に開閉自在に取り付けた後、前枠３０を閉鎖状態で施錠装置３２により外枠２０に施錠保持して遊技に供される。これら上下のヒンジ機構５０，５１のうち、上ヒンジ機構５０は従来から用いられているヒンジ機構と同一であり、外枠２０及び前枠３０のいずれか一方に垂直に延びる係止ピンが設けられ、他方に垂直に延びる係合孔を有した係合部材が設けられており、係止ピンを係合部材の係合孔に嵌合させて外枠２０に対して前枠３０の左端上部が水平方向に開閉揺動自在に係合保持されるようになっている。
【００３４】
一方、下ヒンジ機構５１は図１０及び図１１に示すように構成されており、この構造についてこれらの図を参照して説明する。下枠部材２４の幕板部２５における正面から見て左上端部に、前方に突出してヒンジ受容部２５６が一体に形成されている（下枠部材２４の一部として樹脂一体成形されている）。ヒンジ受容部２５６の上面に、下ヒンジピン部材５２を受容するための略変則五角形状の平板状凹部からなる受容凹部２５６ａが形成されており、この受容凹部２５６ａ内に下ヒンジピン部材５２が受容されて保持される。受容凹部２５６ａ内には、上下に貫通するネジ挿入孔２５６ｃを有した円筒状の凹部からなる保持凹部２５６ｂと、二つの保持ネジ孔２５６ｄ（図５参照）が形成されている。
【００３５】
下ヒンジピン部材５２は、受容凹部２５６ａに対応した略変則五角形状の板状部５３と、板状部５３の下面に下方に突出して設けられた円盤状の保持部５４ａと、板状部５３の上面における保持部５４ａと上下に対向する位置に上方に突出して設けられた円盤状の支持部５４ｂと、支持部５４ｂから上方に突出するとともに保持部５４ａと垂直同軸上に位置して形成された支持ピン部５４ｃとからなり、金属材料等から作られている。なお、板状部５３の二カ所に保持ネジ孔２５６ｃに対応してネジ挿入孔５３ａが形成されている。このような形状の下ヒンジピン部材５２は、保持部５４ａを保持凹部２５６ｂ内に嵌入させつつ板状部５３を受容凹部２５６ａ内に受容させ、ネジ挿入孔５３ａから挿入した保持ネジ５８をネジ孔２５６ｄに螺合させて（図５参照）、ヒンジ受容部２５６に取り付けられる。さらに、ヒンジ受容部２５６の下面側からネジ挿入口２５６ｃ内に固定ネジ５５を挿入し、これを下ヒンジピン部材５２の保持部５４ａの下面に形成されたネジ孔に螺合させて下ヒンジ部材５２をヒンジ受容部２５６に強固に固定しても良い。
【００３６】
一方、前枠部材３０を構成する枠部材３１の左端下端部には、ヒンジ金具５６がネジ５７により固定されており、ヒンジ金具５６には下ヒンジピン部材５２の支持ピン部５４ｃと嵌合する嵌合孔５６ａが形成されている。嵌合孔５６ａ内に支持ピン部５４ｃを嵌入させるようにして前枠３０が外枠２０に取り付けられる。このとき同時に、上ヒンジ機構５０において係止ピンが係合部材の係合孔に嵌合し、上下のヒンジ機構５０，５１により前枠３０が外枠２０に開閉自在に取り付けられる。なお、上ヒンジ機構５０の係止ピンと下ヒンジ機構５１の支持ピン部５４ｃとは、垂直に延びる同軸上に位置し、この軸が開閉揺動中心軸となる。さらにこのとき、図１０に示すように、ヒンジ金具５６が下ヒンジピン部材５２の支持部５４ｂの上に載置されて上下方向の支持がなされる。
【００３７】
上記のように下ヒンジ機構５１は幕板部２５（下枠部材２４）の一部として樹脂一体成形されたヒンジ受容部２５６内に下ヒンジピン部材５２（ヒンジ部材）を受容保持する構成であるので、従来のようにヒンジ金具（ヒンジ部材）が幕板の前方に露出して装飾性を低下させるおそれがない。また、従来のようにヒンジ金具が前方に露出すると、ヒンジ金具が外部の何かに当たって外力が作用したようなときに、ヒンジ金具が変形して前枠の水平保持が狂うおそれがあり、さらには、前方に露出したヒンジ金具を通して遊技機内部に不正に電波等を照射して内部装置の誤作動を引き起こすような不正操作のおそれがあったが、本実施形態の下ヒンジ機構５１ではこのような問題がない。本実施形態の下ヒンジ機構５１では特に、下ヒンジピン部材５２の支持部５４ｂの上に載置されたヒンジ金具５６をヒンジ受容部２５６がカバーして保護する形態となっており、ヒンジ金具５６が外部から外力を受けて変形することを防止している。
【００３８】
下枠部材２４には、さらに、前枠支持機構２７、第１上下動抑止機構２８および第２上下動抑止機構７０が設けられており、これらの構成および作用について説明する。
【００３９】
まず、前枠支持機構２７について、図４〜図９を参照して説明する。前枠支持機構２７は、パチンコ機ＰＭを正面から見た状態で、上下ヒンジ機構５０，５１と反対側すなわち右側における幕板部２５の後側に設けられて、閉鎖状態の前枠３０を下側から支持するための機構である。前枠支持機構２７は、金属板材からなるベース部材２７１と、軸ピン２７６を介してベース部材２７１により回転自在に支持された支持ローラ２７５とから構成される。ベース部材２７１は、水平断面形状がコの字状に成形されて、後面板部２７２と左右面板部２７３，２７４とを有し、左右面板部２７３，２７４の上部２７３ａ，２７４ａに軸ピン２７６が取り付けられ、この軸ピン２７６上に回転自在に支持ローラ２７５が取り付けられている。
【００４０】
このように構成された前枠支持機構２７の取付のために、幕板部２５の後面に後方に突出する一対の支持機構取付ボス２５７ａ，２５７ａが上下に並んで形成されており、ベース部材２７１の後面板部２７２には上下に並んだネジ挿入孔２７２ａ，２７２ａが貫通形成されている。後面板部２７２を支持機構取付ボス２５７ａ，２５７ａの後端面に当接させるとともにネジ挿入孔２７２ａ，２７２ａから取付ネジ２７８を挿入して支持機構取付ボス２５７ａ，２５７ａのネジ孔２５７ｂ，２５７ｂに螺合させ、前枠支持機構２７が幕板部２５の後面に取り付けられる。ここで、図７に明瞭に示すように、幕板部２５の幕板上面部２５ａには、支持機構取付ボス２５７ａの上方に位置して支持開口２５７ｃが上下に貫通して形成されており、上記のように幕板部２５の後面（支持機構取付ボス２５７ａ，２５７ａ）に前枠支持機構２７が取り付けられた状態で、前枠支持機構２７を構成する支持ローラ２７５の上端部が図５、図８、図９等に示すように幕板上面部２５ａの上面より上方に突出する。なお、このとき、幕板部２５の後面と支持ローラ２７５との干渉をさけるように幕板部２５の後面に逃げ溝２５７ｄが形成されている。
【００４１】
このようにして幕板上面部２５ａの上面から上端部が突出した支持ローラ２７５は、図８に示すように、前枠３０の枠部材３１の右端部下面に当接して閉鎖状態の前枠３０の右側部を下面側から支持する。ここで前枠３０は前述のように左端部において上下のヒンジ機構５０，５１により開閉自在に支持されるが、図１０に示すように前枠３０に固定されたヒンジ金具５６が下ヒンジピン部材５２の支持部５４ｂの上に載置されて左端部の上下方向の位置決めがなされる。このように、前枠３０を外枠２０に閉鎖状態で取り付けた状態では、左端部においては下ヒンジ機構５１により上下方向の支持がなされる一方、右端部においては支持ローラ２７５により上下方向の支持がなされるようになっている。このとき左右の支持位置が相違したのでは前枠３０が外枠２０に対して左右どちらかに傾くため、図４に示すように、外枠２０の底面から下ヒンジピン部材５２の支持部５４ｂの上面までの上下寸法Ｄ１と、外枠２０の底面から支持ローラ２７７の上端面までの上下寸法Ｄ２とが等しくなるように設定されている。
【００４２】
なお、支持ローラ２７５は左右に延びる回転軸（軸ピン２７６）を中心として回転自在であり、前枠３０を開閉させるときに、前枠３０の枠部材３１の下面が支持ローラ２７５上に載置された状態で支持ローラ２７７が回転して、前枠３０をスムーズに開閉作動させることができる（図８，図９参照）。
【００４３】
このように前枠３０を外枠２０に対して開閉するときに、前枠３０を開放した状態では、前枠３０は左側端部において上下のヒンジ機構５０，５１のみにより開閉自在に支持され（前枠支持機構２７による支持が外れ）、前枠３０の全体重量がヒンジ機構５０，５１のみにより支えられる状態となる。このため、ヒンジ機構５０，５１のピン嵌合部の隙間や部材の弾性変形等に起因して前枠３０の右端側が若干下方に下がった状態となる（図９参照）。このように右端側が下方に下がったまま前枠３０を外枠２０上に閉止状態となるように移動させると前枠３０の右端下端が幕板部２５の上端部と干渉するおそれがある。
【００４４】
このため、幕板上面部２５ａを前方に突出させた突出部２５ｂを形成するとともに突出部２５ｂの上面に前方に向かって下がる傾斜のテーパ面２５ｃを形成し、且つ、前枠３０の枠部材３１の下面後端部に後方に向かって上がる傾斜のテーパ面３１ｂを形成している。このため、図９に示すように、前枠３０を外枠２０上に閉止するときに、前枠３０のテーパ面３１ｂが幕板上面部２５ａのテーパ面２５ｃの上を滑るようにして移動し、前枠３０をスムーズに閉止することができる。また、幕板上面部２５ａには前後に延びるとともに上方に突出した前枠ガイドリブ２５ｄが前端部にテーパを有して設けられており、テーパ面２５ｃの上を移動した前枠３０の下面を前枠ガイドリブ２５ｄ上を移動させて支持ローラ２７７の上にスムーズに導くようにしている。
【００４５】
この突出部２５ｂは、図９に示すように、天板１４の前面側に突出して形成される球箱載置台１４ａ（図１参照）上に載置された球箱ＢＢの後側フランジ部ＢＢＦの上面が突出部２５ｂの下面と近接対向するように形成されている。これにより、例えば、球箱ＢＢの前端部を誤って手で押し下げたような場合に、後側フランジ部ＢＢＦが持ち上がるのを防止し、球箱ＢＢを載置台１４ａから落下させるようなことを防止できる。このため、図９に鎖線で示すように突出部２５ｂの前方突出量を大きく設定しても良い。
【００４６】
なお、図７〜図９等に示すように、幕板部２６の上面には、幕板部２６の前面より後側において上方に起立するとともに左右方向に延びた前枠係止アーム部２５９が一体に形成されている。この前枠係止アーム部２５９の前面には後方に窪んだ係止凹部２５９ａが形成されており、前枠３０が外枠２０の前面に閉鎖状態で取り付けられたときに、図８に示すように、前枠３０の枠部材３１の下端に後方に突出して形成された係止突起部３１ａが係止凹部２５９ａ内に入り込み、前枠３０を下枠２４に係止させ、前枠３０の上方への持ち上がり移動や、外部からの不正操作を防止する。
【００４７】
次に、第１上下動抑止機構２８について、図３〜図９および図１２〜図１３を参照して説明する。第１上下動抑止機構２８は、幕板部２５の後面に設けられて閉止状態の前枠３０の枠部材３１の下端と係合し、外枠２０に対して前枠３０の上下動を抑止するための機構である。図３から良く分かるように、第１上下動抑止機構２８は幕板部２５の左右方向中間部の二カ所に設けられているが、ともに同一構成である。
【００４８】
第１上下動抑止機構２８は、アングル状に折り曲げ成形された係止プレート２８１を、幕板部２５の後面に後方に突出して形成された上下一対の抑止機構取付ボス２５８ａに取り付けて構成される。この取付は、係止プレート２８１を抑止機構取付ボス２５８ａの後端面に当接させるとともに、係止プレート２８１に形成されたネジ挿入孔２８１ｂに取付ネジ２８２を挿入し、抑止機構取付ボス２５８ａに形成したネジ孔２５８ｂに取付ネジ２８２を螺合させてなされる。
【００４９】
一方、前枠係止アーム部２５９に、第１上下動抑止機構２８が取り付けられる位置に対応して挿入凹部２５９ｃが形成されている。そして、上記のように係止プレート２８１が抑止機構取付ボス２５８ａに取り付けられた状態で、係止プレート２８１の上部から前方に直角に折れ曲がって延びる係止アーム２８１ａが挿入凹部２５９ｃを通って前方に突出し、幕板上面部２５ａと上下に所定間隔をおいて平行に延びて位置する。また、図８および図９に示すように、前枠３０の枠部材３１における第１上下動抑止機構２８と対向する部分に、上面が後方に向かって下がるテーパ面３１ｄを有した係合部３１ｃが形成されている。
【００５０】
このように構成される第１上下動抑止機構２８は、図８に示すように、前枠３０が外枠２０を覆って閉止されたときに、係合部３１ｃが係止アーム２８１ａと幕板上面部２５ａとの間の間隔内に入り込んで挟持される。ここで、前述のように、前枠３０は左端部において下ヒンジ機構５１により下方から支持されるとともに右端部において前枠支持機構２７により下方支持されており、この状態で係合部３１ｃが係止アーム２８１ａにより下方に押し下げられて保持される状態となり、前枠３０の上下動が抑止され、前枠３０は外枠２０に対して安定状態で静止保持される。このとき、係止プレート２８１は金属プレートから形成されており、係止アーム２８１ａの弾性力により下方への押し下げ力が得られる。また、このように弾性力を有して押圧しているため、外枠２０からの振動が前枠３０に伝達されにくく、搬送中等での振動に対して前枠３０に装着された内部機器を保護できる。なお、係止アーム２８１ａの先端は上方に円弧状に曲げられるとともに係合部３１ｃにはテーパ面３１ｄが形成されているため、前枠３０の閉止作動を行わせたときに、係合部３１ｃは係止アーム２８１ａと幕板上面部２５ａとの間の間隔内にスムーズに入り込み、前枠３０をスムーズに開閉できる。
【００５１】
次に、上枠部材２１と前枠３０の枠部材３１の上部との間に設けられた第２上下動抑止機構７０について説明する。この第２上下動抑止機構７０は、図１２および図１３に示すように、上枠部材２１の左右方向ほぼ中央部における下面前部にネジ７２により固設された係止プレート７１と、前枠３０の枠部材３１の上部中央から後方に突出した係合部３１ｅとから構成される。係止プレート７１は金属板材を折り曲げ成形して作られ、上枠部材２１の下面に接合される基部プレート部７１ａと、基部プレート部７１ａの前端から直角に下方に折れ曲がって延びた中間プレート部７１ｂと、中間プレート部７１ｂの下端から直角に後方に折れ曲がって延びた下部プレート部７１ｃとからなる。
【００５２】
このように構成される第２上下動抑止機構７０は、図１３に示すように、前枠３０が外枠２０を覆って閉止されたときに、係合部３１ｅの上面テーパ面３１ｆに係止プレート７１の下部プレート部７１ｃが当接してこれを下方に押圧する状態となり、前枠３０の上下動が抑止され、前枠３０は外枠２０に対して安定状態で静止保持される。このとき、係止プレート７１は金属プレートから形成されており、その弾性力により下方への押し下げ力が得られる。また、このように弾性力を有して押圧しているため、外枠２０からの振動が前枠３０に伝達されにくく、搬送中等での振動に対して前枠３０に装着された内部機器を保護できる。なお、係合部３１ｅの上面にはテーパ面３１ｆが形成されているため、前枠３０の閉止作動を行わせたときに、係合部３１ｅと係止プレート７１の下部プレート部７１ｃとが滑らかに当接し、前枠３０をスムーズに開閉できる。
【００５３】
なお、以上説明したように、この実施形態に係るパチンコ機ＰＭにおいては、下枠部材２４の幕板部２５と前枠３０の下部との間に第１の上下動抑止機構２８が設けられ、上枠部材２１と前枠３０の上部との間に第２の上下動抑止機構７０が設けられているが、いずれか一方のみを設けるだけでも良い。
【００５４】
次に、本発明に係るパチンコ機の別の実施形態について、図１４〜図２１を参照して説明する。以下に示す実施形態において、図１〜図１３に示す実施形態と同一構成部分については同一番号を付与して説明するが、重複する説明は省略する。
【００５５】
まず、図１４に第２の実施形態を示しており、このパチンコ機では、第１上下動抑止機構３２８の構成と、下枠部材３２４の構成と、下面板３２９の構成とが相違する。第１上下動抑止機構３２８は、前枠３０の枠部材３１の後面に設けられた抑止機構取付ボス３３１にビス３３２により固設されたＬ字状の金属板材からなる係止プレート３８１を有して構成され、係止プレート３８１の係止アーム３８１ａが後方に突出して形成されている。一方、幕板部３２５の幕板上面部３２５ａの後端から上方に突出した係止アーム部３５９には挿入開口３５９ｂを有した盛上部３５９ａが形成されている。そして、前枠３０が外枠２０の前面を覆って閉止保持されると、図１４に示すように、係止アーム３８１ａが挿入開口３５９ｂ内に入り込み、盛上部３５９ａにより押さえられるようにして係止アーム３８１ａを介して前枠３０が外枠２０に係止保持される。
【００５６】
この実施形態においてはさらに、底板部３２６の前端から下方に突出した下面前端部３６５の形状が前述の実施形態と相違（前後厚さ寸法が図１〜図１３の実施形態より小さい）しており、これに対応して下面板３２９のサイズも相違している。また、下面板３２９を下枠部材３２４に接合するために、下面前端部３６５の前面に座ぐり３６５ｂを有して前後に貫通するネジ挿通孔３６５ａが形成され、下面板３２９の前端面にネジ孔３２９ａが形成されている。下面板３２９を前端面が下面前端部３６５の後面に当接させるとともに上面を底板部３２６の底面に当接させて底板部３２６の下側に配置した状態で、下面前端部３６５の前面側からネジ挿通孔３６５ａ内に接合ネジ３６６を挿入し、下面板３２９のネジ孔３２９ａと螺合させる。これにより下面板３２９を下枠部材３２４（下面前端部３６５）に図１４に示すようにしっかりと接合することができる。なお、この後、座ぐり３６５ａに嵌合させてキャップ３６７を取り付け、前面側の外観を損なうことを防止している。
【００５７】
次に、図１５〜図１７に示す第３の実施形態について説明する。この実施形態は上枠部材２１と前枠３０の枠部材３１の上部とを係止保持する第２上下動抑止機構４７０に係るものであり、この機構４７０は、枠部材３１に固設された係止プレート４７１と、上枠部材２１の下面に固設された当接部材４７５とからなる。係止プレート４７１は枠部材３１の後面に突出して形成された抑止機構取付ボス４３１にネジ挿入孔４７１ａを介してビス４３２により固設されたＬ字状の金属板材からなり、係止アーム４７２が後方に突出して延びる。
【００５８】
一方、当接部材４７５は、前側に位置して下方に突出する係止突起４７６と、後側に位置して下方に突出する把持突起４７７とを連結する形状に形成され、下面側に窪み４７８が形成されている。係止突起４７６に上下に貫通して形成されたネジ挿通孔４７６ａと、把持突起４７７に上下に貫通して形成されたネジ挿通孔４７７ａとにそれぞれネジ４７６ｂおよび４７７ｂを挿入するとともにこれらネジ４７６ｂ，４７７ｂを上枠部材２１の下面に螺合させ、図１６に示すように、当接部材４７５が上枠部材２１の下面に固設されている。
【００５９】
そして、前枠３０が外枠２０の前面を覆って閉止保持されると、図１６に示すように、係止アーム４７２が当接部材４７５の係止突起４７６の下面の下側に入り込み、係止突起４７６により押さえられるようにして係止アーム４７２を介して前枠３０が外枠２０に係止保持される。なお、このように前枠３０が外枠２０に閉止保持された状態のパチンコ機ＰＭを持ち運びするときに、外枠２０の後面側から指を窪み４７８内に差し込み、把持突起４７７に指を引っかけるようにしてパチンコ機ＰＭを把持することができる。このため、パチンコ機ＰＭを手で把持して搬送することが容易である。
【００６０】
次に、図１８および図１９に示す、第４の実施形態について説明する。この実施形態も上枠部材２１と前枠３０の枠部材３１の上部とを係止保持する第２上下動抑止機構５７０に係るものであり、この機構５７０は、上枠部材２１に固設された係止部材５７１と、前枠３０の枠部材３１の上部から後方に突出した係止部５３１とからなる。係止部材５７１は、上枠部材２１の前面に接合される前面プレート部５７２と、上枠部材２１の下面に接合される下面プレート部５７３と、下面プレート部５７３の左右から直角に下方に折れ曲がって形成された左右支持プレート部５７４，５７４と、これら左右プレート部５７４，５７４に掛け渡された軸ピン５７５ａに回転自在に支持された押圧ローラ５７５とから構成される。前面プレート部５７２に形成された挿通孔５７２ａに通したビス５７８ａを上枠部材２１の前面に螺合させて前面プレート部５７２が上枠部材２１の前面に接合して固設され、下面プレート部５７３に形成された挿通孔５７３ａに通したビス５７８ｂを上枠部材２１の下面に螺合させて下面プレート部５７３が上枠部材２１の下面に接合して固設される。
【００６１】
そして、前枠３０が外枠２０の前面を覆って閉止保持されると、図１９に示すように、押圧ローラ５７５が前枠３０の枠部材３１の係止部５３１の上に乗り上げて押圧され、前枠３０が外枠２０に係止保持される。このとき、押圧ローラ５７５は軸ピン５７５ａ上を回転するため、前枠３０の閉止作動抵抗が小さく、前枠３０の開閉作動をスムーズに行うことができる。
【００６２】
なお、図１８および図１９に二点鎖線で示すように、下面プレート部５７３に一体に繋がって後方に延びる後部下面プレート部５７６と、後部下面プレート部５７６の後端から直角に下方に折れ曲がるとともにＵ字状に折り返された把持部５７７とを設けるのが好ましい。このようにすると、前枠３０が外枠２０に閉止保持された状態のパチンコ機ＰＭを持ち運びするときに、外枠２０の後面側から指を把持部５７７に引っかけるようにしてパチンコ機ＰＭを把持することができる。このため、パチンコ機ＰＭを手で把持して搬送することが容易である。
【００６３】
次に、第５の実施形態として、第１実施形態の前枠支持機構２７とは相違する構成の前枠支持機構６２７について図２０および図２１を参照して説明する。この前枠支持機構６２７も、パチンコ機ＰＭを正面から見た状態で、上下ヒンジ機構５０，５１と反対側すなわち右側における幕板部２５の後側に設けられて、閉鎖状態の前枠３０を下側から支持するための機構であるが、支持高さを調整できるように構成されている。
【００６４】
具体的には、第５の実施形態に係る前枠支持機構６２７は、金属板材からなるベース部材６７１と、左右一対のガイド部材６７２と、調整ネジ６７３と、保持ナット６７４と、ローラアセンブリ６７５とから構成される。ベース部材６７１は、水平板部６７１ａと、水平板部６７１ａの左右後端から直角に下方に折れ曲がって形成された左右一対の固定アーム部６７１ｂと、水平板部６７１ａの中央後端から直角に上方に折れ曲がって形成された支持アーム部６７１ｃとを有して構成される。なお、保持ナット６７４は水平板部６７１ａの下面に接合されている。ベース部材６７１は、固定アーム部６７１ｂに形成された取付孔６７１ｅに取付ネジ６７１ｇを挿入し、これを幕板部２５の背面に設けた取付ボス２５７のネジ孔に螺合させて幕板部２５の背面に固定される。
【００６５】
水平板部６７１ａの中央には上下に貫通してネジ孔６７１ｄが形成されており、保持ナット６７４の雌ネジ孔と連通している。保持ナット６７４の雌ネジ孔に調整ネジ６７３が水平板部６７１ａの下面側から螺合して取り付けられる。調整ネジ６７３は、ヘッド部６７３ａと、雄ネジ部６７３ｂと、雄ネジ部６７３ｂの先端から同軸に突出した円筒部６７３ｃとから構成され、雄ネジ部６７３ｂを保持ナット６７４の雌ネジ孔に螺合させて水平板部６７１ａに取り付けられる。
【００６６】
支持アーム部６７１ｃの左右に前後に貫通するネジ孔６７１ｆが形成されており、このネジ孔６７１ｆに挿入した固定ネジ６７１ｈをガイド部材６７２のネジ孔６７２ａに螺合させて、一対のガイド部材６７２が支持アーム部６７１ｃの左右に固定される。このように固定された状態で左右一対のガイド部材６７２は互いに所定間隔を置いて対向し、この所定間隔内にガイド部材６７２に挟持されてガイドされた状態でローラアセンブリ６７５が配設される。
【００６７】
ローラアセンブリ６７５は、正面視Ｕ字状に折り曲げられた板材からなる支持プレート６７６と、支持プレート６７６のＵ字状空間内に配設されるとともに左右板部６７６ａにより回転自在に支持された支持ローラ６７７と、支持プレート６７６のＵ字状空間の底板部６７６ｂに固設された円筒状の受容部材６７８とから構成される。受容部材６７８には上下に貫通する受容孔６７８ａが形成されており、受容孔６７８ａは支持プレート６７６の底板部６７６ｂに形成された貫通孔６７６ｃと連通して下面に開口している。このような構成のローラアセンブリ６７５が、支持プレート６７６が左右一対のガイド部材６７２の間に上方から挿入されるとともに、支持プレート６７６の底板部６７６ｂの貫通孔６７６ｃから受容部材６７８の受容孔６７８ａ内に調整ネジ６７３の円筒部６７３ｃを嵌入させて、ベース部材６７１に上下に移動可能に取り付けられている。なお、ローラアセンブリ６７５は、支持プレート６７６の左右側面が左右のガイド部材６７２により挟持されてガイドされ、且つ後面が支持アーム部６７１ｃの前面に当接してガイドされて上下に移動可能となっている。
【００６８】
ここで貫通孔６７６ｃは円筒部６７３ｃを嵌入させる径であるが調整ネジ６７３の雄ネジ部６７３ｂより小径に形成されており、図２０から分かるように、雄ネジ部６７３ｂの先端面上に支持プレート６７６の底板部６７６ｂが載置される状態となる。このため、この状態で調整ネジ６７３の保持ナット６７４に対する螺合量を変化させると雄ネジ部６７３ｂが支持プレート６７６を支持した状態で上下動し、支持ローラ６７７の上下位置調整を行うことができる。
【００６９】
このようにして上下位置調整がなされる支持ローラ６７７は、図２０に示すように、前枠３０の枠部材３１の右端部下面に当接して閉鎖状態の前枠３０の右側部を下面側から支持する。ここで前枠３０は前述のように左端部において上下のヒンジ機構５０，５１により開閉自在に支持され、且つ前枠３０に固定されたヒンジ金具５６が下ヒンジピン部材５２の支持部５４ｂの上に載置されて左端部の上下方向の位置決めがなされる。すなわち、前枠３０を外枠２０に閉鎖状態で取り付けた状態では、左端部においては下ヒンジ機構５１により上下方向の支持がなされる一方、右端部においては前枠支持機構６２７の支持ローラ６７７により上下方向の支持がなされる。このとき、前枠支持機構６２７において支持ローラ６７７の上下位置調整が可能であり、閉鎖状態において前枠３０の左右方向の傾きが生じないように上下位置調整がなされ、前枠３０は水平に保持される。
【００７０】
以上説明した本発明の実施形態において、達成される主要な効果を整理すれば、下記のようになる。
【００７１】
第１に、下枠部材２４は、前枠３０の下側において前面に露出する部分をなす幕板部２５と、幕板部２５の下端に繋がって後方に延びた底板部２６とを備えて樹脂材料により一体に形成されており、このように樹脂材料を使用することにより、下枠部材２４についてはこれをそのまま廃棄することなく、溶融して再利用可能である。
【００７２】
第２に、関東枠用の下枠部材２４と関西枠用の下枠部材２４′とは、幕板部２５，２５′（幕板延出部２５３，２５３′）の上端面から底板部２６の下面までを、関東枠用の下枠部材２４では寸法Ａとし、関西枠用の下枠部材２４′では寸法Ａ′（Ａ＜Ａ′）としている。このため、関東枠用の下枠部材２４と関西枠用の下枠部材２４′とは、幕板部２５，２５′と、結合面部２５２、２５２′と、幕板延出部２５３，２５３′とをそれぞれに対応する寸法に設定すればよく、その他の部分、すなわち、底板部２６および下面前端部２６５については同一寸法で良く、対応が簡単である。また、下面板２９についても共用できる。
【００７３】
第３に、パチンコ機ＰＭを遊技島構造体１０に取り付けるときに、まず外枠２０が単体で遊技島構造体１０に取り付けられるが、この取付は、底板部２６および下面板２９を釘（例えば、五寸釘）により天板１４に打ち付けて行われる。このとき、下枠部材２４は樹脂材料により形成されているため、釘を底板部２６に直接打ち込んだのでは底板部２６が割れたり、ヒビが入ったりするおそれがあるが、図５および図６に示すように、底板部２６の左右２カ所に前後方向の後部側に位置して、左右に延びた長孔からなる釘打ち孔２６１が形成されており、この釘打ち孔２６１から下面板２９を貫通して釘を天板１４に打ち込んで、底板部２６および下面板２９を天板１４に結合固定するようになっている。このため、下枠部材２４が割れたり、ヒビが入ったりするおそれがなくなる。
【００７４】
第４に、下ヒンジ機構５１は幕板部２５（下枠部材２４）の一部として樹脂一体成形されたヒンジ受容部２５６内に下ヒンジピン部材５２（ヒンジ部材）を受容保持する構成であるので、従来のようにヒンジ金具（ヒンジ部材）が幕板の前方に露出して装飾性を低下させるおそれがない。また、従来のようにヒンジ金具が前方に露出すると、ヒンジ金具が外部の何かに当たって外力が作用したようなときに、ヒンジ金具が変形して前枠の水平保持が狂うおそれがあり、さらには、前方に露出したヒンジ金具を通して遊技機内部に不正に電波等を照射して内部装置の誤作動を引き起こすような不正操作のおそれがあったが、本実施形態の下ヒンジ機構５１ではこのような問題がない。本実施形態の下ヒンジ機構５１では特に、下ヒンジピン部材５２の支持部５４ｂの上に載置されたヒンジ金具５６をヒンジ受容部２５６がカバーして保護する形態となっており、ヒンジ金具５６が外部から外力を受けて変形することを防止している。
【００７５】
第５に、前枠支持機構２７において、幕板上面部２５ａを前方に突出させた突出部２５ｂを形成するとともに突出部２５ｂの上面に前方に向かって下がる傾斜のテーパ面２５ｃを形成し、且つ、前枠３０の枠部材３１の下面後端部に後方に向かって上がる傾斜のテーパ面３１ｂを形成している。このため、図９に示すように、前枠３０を外枠２０上に閉止するときに、前枠３０のテーパ面３１ｂが幕板上面部２５ａのテーパ面２５ｃの上を滑るようにして移動し、前枠３０をスムーズに閉止することができる。また、幕板上面部２５ａには前後に延びるとともに上方に突出した前枠ガイドリブ２５ｄが前端部にテーパを有して設けられており、テーパ面２５ｃの上を移動した前枠３０の下面を前枠ガイドリブ２５ｄ上を移動させて支持ローラ２７７の上にスムーズに導くことができる。
【００７６】
なお、上記突出部２５ｂは、図９に示すように、天板１４の前面側に突出して形成される球箱載置台１４ａ（図１参照）上に載置された球箱ＢＢの後側フランジ部ＢＢＦの上面が突出部２５ｂの下面と近接対向するように形成されている。これにより、例えば、球箱ＢＢの前端部を誤って手で押し下げたような場合に、後側フランジ部ＢＢＦが持ち上がるのを防止し、球箱ＢＢを載置台１４ａから落下させるようなことを防止できる。
【００７７】
第６に、図７〜図９等に示すように、幕板部２６の上面には、幕板部２６の前面より後側において上方に起立するとともに左右方向に延びた前枠係止アーム部２５９が一体に形成されている。この前枠係止アーム部２５９の前面には後方に窪んだ係止凹部２５９ａが形成されており、前枠３０が外枠２０の前面に閉鎖状態で取り付けられたときに、図８に示すように、前枠３０の枠部材３１の下端に後方に突出して形成された係止突起部３１ａが係止凹部２５９ａ内に入り込み、前枠３０を下枠２４に係止させ、前枠３０の上方への持ち上がり移動や、外部からの不正操作を防止することができる。
【００７８】
第７に、上下動抑止機構２８は、図８に示すように、前枠３０が外枠２０を覆って閉止されたときに、係合部３１ｃが係止アーム２８１ａと幕板上面部２５ａとの間の間隔内に入り込んで挟持される。ここで、前述のように、前枠３０は左端部において下ヒンジ機構５１により下方から支持されるとともに右端部において前枠支持機構２７により下方支持されており、この状態で係合部３１ｃが係止アーム２８１ａにより下方に押し下げられて保持される状態となり、前枠３０の上下動が抑止され、前枠３０は外枠２０に対して安定状態で静止保持される。このとき、係止プレート２８１は金属プレートから形成されており、係止アーム２８１ａの弾性力により下方への押し下げ力が得られる。また、このように弾性力を有して押圧しているため、外枠２０からの振動が前枠３０に伝達されにくく、搬送中等での振動に対して前枠３０に装着された内部危機を保護できる。なお、係止アーム２８１ａの先端は上方に円弧状に曲げられるとともに係合部３１ｃにはテーパ面３１ｄが形成されているため、前枠３０の閉止作動を行わせたときに、係合部３１ｃは係止アーム２８１ａと幕板上面部２５ａとの間の間隔内にスムーズに入り込み、前枠３０をスムーズに開閉できる。
【００７９】
第８に、上枠部材２１と前枠３０の上部との間に設けられた第２上下動抑止機構７０は、図１３に示すように、前枠３０が外枠２０を覆って閉止されたときに、係合部３１ｅの上面テーパ面３１ｆに係止プレート７１の下部プレート部７１ｃが当接してこれを下方に押圧する状態となり、前枠３０の上下動が抑止され、前枠３０は外枠２０に対して安定状態で静止保持される。このとき、係止プレート７１は金属プレートから形成されており、その弾性力により下方への押し下げ力が得られる。また、このように弾性力を有して押圧しているため、外枠２０からの振動が前枠３０に伝達されにくく、搬送中等での振動に対して前枠３０に装着された内部危機を保護できる。なお、係合部３１ｅの上面にはテーパ面３１ｆが形成されているため、前枠３０の閉止作動を行わせたときに、係合部３１ｅと係止プレート７１の下部プレート部７１ｃとが滑らかに当接し、前枠３０をスムーズに開閉できる。
【００８０】
第９に、第２上下動抑止機構４７０を図１５〜図１７に示すように構成すれば、前枠３０が外枠２０の前面を覆って閉止保持されると、図１６に示すように、係止アーム４７２が当接部材４７５の係止突起４７６の下面の下側に入り込み、係止突起４７６により押さえられるようにして係止アーム４７２を介して前枠３０が外枠２０に係止保持される。なお、このように前枠３０が外枠２０に閉止保持された状態のパチンコ機ＰＭを持ち運びするときに、外枠２０の後面側から指を窪み４７８内に差し込み、把持突起４７７に指を引っかけるようにしてパチンコ機ＰＭを把持することができる。このため、パチンコ機ＰＭを手で把持して搬送することが容易である。
【００８１】
第１０に、第２上下動抑止機構５７０を図１８および図１９に示すように構成すれば、前枠３０が外枠２０の前面を覆って閉止保持されると、図１９に示すように、押圧ローラ５７５が前枠３０の枠部材３１の係止部５３１の上に乗り上げて押圧され、前枠３０が外枠２０に係止保持される。このとき、押圧ローラ５７５は軸ピン５７５ａ上を回転するため、前枠３０の閉止作動抵抗が小さく、前枠３０の開閉作動をスムーズに行うことができる。
【００８２】
なお、図１８および図１９に二点鎖線で示すように、下面プレート部５７３に一体に繋がって後方に延びる後部下面プレート部５７６と、後部下面プレート部５７６の後端から直角に下方に折れ曲がるとともにＵ字状に折り返された把持部５７７とを設けるのが好ましい。このようにすると、前枠３０が外枠２０に閉止保持された状態のパチンコ機ＰＭを持ち運びするときに、外枠２０の後面側から指を把持部５７７に引っかけるようにしてパチンコ機ＰＭを把持することができる。このため、パチンコ機ＰＭを手で把持して搬送することが容易である。
【００８３】
第１１に、図２０および図２１に示す前枠支持機構６２７を用いれば、前枠３０を外枠２０に閉鎖状態で取り付けた状態では、左端部においては下ヒンジ機構５１により上下方向の支持がなされる一方、右端部においては前枠支持機構６２７の支持ローラ６７７により上下方向の支持がなされるが、このとき、前枠支持機構６２７において支持ローラ６７７の上下位置調整が可能であり、閉鎖状態において前枠３０の左右方向の傾きが生じないように上下位置調整し、前枠３０を水平に保持することができる。
【図面の簡単な説明】
【００８４】
【図１】本発明に係る縦型遊技機としてのパチンコ機を遊技島構造体に取り付けた状態を示す正面図である。
【図２】本発明に係る縦型遊技機としてのパチンコ機を遊技島構造体に取り付けた状態を示す背面図である。
【図３】上記パチンコ機の外枠を構成する下枠部材を示す背面図であり、図３（Ａ）は関東枠用の下枠部材、図３（Ｂ）は関西枠用の下枠部材の背面図である。
【図４】上記外枠の下部を示す正面図である。
【図５】上記外枠を中間部において水平面に沿って切断して外枠下部を示す平面断面図である。
【図６】上記外枠の下部を示す背面図である。
【図７】上記パチンコ機における前枠支持構造および第１上下動抑止機構を有する部分を示す分解斜視図である。
【図８】上記パチンコ機の下部を前枠閉止状態において前枠支持機構の中心を通る前後垂直面に沿って切断して示す側面断面図である。
【図９】上記パチンコ機の下部を前枠開放途中状態において前枠支持機構の中心を通る前後垂直面に沿って切断して示す側面断面図である。
【図１０】上記パチンコ機の下部を下ヒンジ機構の中心を通る前後垂直面に沿って切断して示す側面断面図である。
【図１１】下ヒンジ機構の部品構成を示す分解斜視図である。
【図１２】第２上下動抑止機構の構成を示す分解斜視図である。
【図１３】第２上下動抑止機構の構成を示す断面図である。
【図１４】本発明の第２実施形態に係るパチンコ機の下部を示す部分断面図である。
【図１５】本発明の第３実施形態に係るパチンコ機の上部を背面側から示す部分断面図である。
【図１６】上記第３実施形態に係るパチンコ機を示す断面図である。
【図１７】上記第３実施形態に係るパチンコ機の第２上下動抑止機構の構成部品を示す斜視図である。
【図１８】本発明の第４実施形態に係るパチンコ機を示す分解斜視図である。
【図１９】上記第４実施形態に係るパチンコ機を示す断面図である。
【図２０】本発明の第５実施形態に係るパチンコ機を示す断面図である。
【図２１】上記第５実施形態に係るパチンコ機を示す分解斜視図である。
【符号の説明】
【００８５】
ＰＭ  パチンコ機                      ＰＡ  遊技領域
ＢＢ  球箱                            ＢＢＦ  フランジ部
１０  島構造体                        １１  島幕板
１２  ランプ板                        １２ａ  呼出ランプ
１３  保持枠                          
１４  天板                            １４ａ  球箱載置台
１５  腰板
２０  外枠                            ２１  上枠部材
２２  左枠部材                        ２２ａ  リベット挿通孔
２３  右枠部材                        ２３ａ  リベット挿通孔
２２１，２３１  凹溝
２２２，２３２  リベット
２２３，２３３  受け座金
２４，２４′  下枠部材
２５，２５′  幕板部
２５ａ  幕板上面部                    ２５ｂ  突出部
２５ｃ  テーパ面                      ２５ｄ  前枠ガイドリブ
２５１  補強リブ
２５２，２５２′  結合面部            ２５２ａ  リベット挿通孔
２５３，２５３′  幕板延出部
２５３ａ  ボス部                      ２５３ｂ  ネジ挿入孔
２５３ｃ  キャップ取付凹部
２５４  ネジ                          ２５５  キャップ
２５６  ヒンジ受容部
２５６ａ  受容凹部                    ２５６ｂ  保持凹部
２５６ｃ  ネジ挿入孔                  ２５６ｄ  保持ネジ孔
２５７ａ  支持機構取付ボス            ２５７ｂ  ネジ孔
２５７ｃ  支持開口                    ２５７ｄ  逃げ溝
２５８ａ  抑止機構取付ボス            ２５８ｂ  ネジ孔
２５９  前枠係止アーム部              ２５９ａ  係止凹部
２５９ｂ  盛上部                      ２５９ｃ  挿入凹部
２６  底板部                          ２６１  釘打ち孔
２６５  下面前端部
２６５ａ  下面前端延出部              ２６５ｂ  凹部
２６５ｃ  ネジ挿入孔
２６６  下端キャップ
２６７  結合ネジ                      ２６７ａ  ヘッド部
２７  前枠支持機構
２７１  ベース部材
２７２  後面板部                      ２７２ａ  ネジ挿入孔
２７３  右面板部                      ２７３ａ  右面板部上部
２７４  左面板部                      ２７４ａ  左面板部上部
２７５  支持ローラ                    ２７６  軸ピン
２７８  取付ネジ
２８  第１上下動抑止機構
２８１  係止プレート
２８１ａ  係止アーム                  ２８１ｂ  ネジ挿入孔
２８２  取付ネジ
２９  下面板
３０  前枠
３１  枠部材
３１ａ  係止突起                      ３１ｂ  テーパ面
３１ｃ  係合部                        ３１ｄ  テーパ面
３１ｅ  係合部                        ３１ｆ  上面テーパ面
３２  施錠装置                        ３３  ガラス扉
３５  遊技盤                          ３６  レール
３７  画像表示装置                    ３８  入賞具
３９  アウト口
４０  上球皿装置                      ４１  上球皿部
４２  球排出レバー
４３  下球皿装置                      ４４  下球皿部
４５  発射ハンドル                    ４６  灰皿
４７  球抜きレバー
５０  上ヒンジ機構
５１  下ヒンジ機構                    ５２  下ヒンジピン部材
５３  板状部                          ５３ａ  ネジ挿入孔
５４ａ  保持部                        ５４ｂ  支持部
５４ｃ  支持ピン部                    ５５  固定ネジ
５６  ヒンジ金具                      ５６ａ  嵌合孔
５７  ネジ                            ５８  保持ネジ
６１  球貯留タンク                    ６２  タンクレール
６３  球払出装置                      ６４  電源基盤
６５  主基盤                          ６６  画像制御基盤
７０  第２上下動抑止機構
７１  係止プレート
７１ａ  基部プレート部                ７１ｂ  中間プレート部
７１ｃ  下部プレート部
７２  ネジ
３２４  下枠部材
３２５  幕板部                        ３２５ａ  幕板上面部  
３２６  底板部
３２８  第１上下動抑止機構
３２９  下面板
３３１  抑止機構取付ボス              ３３２  ビス
３５９  係止アーム部
３５９ａ  盛上部                      ３５９ｂ  挿入開口
３６５  下面前端部
３６５ａ  ネジ孔                      ３６５ｂ  座ぐり
３６６  接合ネジ                      ３６７  キャップ
３８１  係止プレート                  ３８１ａ  係止アーム
４３１  抑止機構取付ボス              ４３２  ビス
４７０  第２上下動抑止機構
４７１  係止プレート                  ４７１ａ  ネジ挿入口
４７２  係止アーム
４７５  当接部材
４７６  係止突起
４７６ａ  ネジ挿入孔                  ４７６ｂ  ネジ
４７７  把持突起
４７７ａ  ネジ挿入孔                  ４７７ｂ  ネジ
４７８  窪み
５３１  係止部
５７０  第２上下動抑止機構
５７１  係止部材
５７２  前面プレート部                ５７２ａ  挿通孔
５７３  下面プレート部                ５７３ａ  挿通孔
５７４  左右支持プレート部
５７５  押圧ローラ                    ５７５ａ  軸ピン
５７６  後部下面プレート部
５７７  把持部
５７８ａ，５７８ｂ，５７８ｃ  ビス
６２７  前枠支持機構
６７１  ベース部材
６７１ａ  水平板部                    ６７１ｂ  固定アーム部
６７１ｃ  支持アーム部                ６７１ｄ  調整用雌ネジ
６７１ｅ  取付孔                      ６７１ｆ  ネジ孔
６７１ｇ  取付ネジ                    ６７１ｈ  固定ネジ
６７２  ガイド部材                    ６７２ａ  ネジ孔
６７３  調整ネジ
６７３ａ  ヘッド部                    ６７３ｂ  雄ネジ部
６７３ｃ  円筒部
６７４  ロックナット
６７５  ローラアセンブリ
６７６  支持プレート
６７６ａ  左右板部                    ６７６ｂ  底板部
６７６ｃ  貫通孔
６７７  支持ローラ
６７８  受容部材                      ６７８ａ  受容孔
【図１】
2006034334.tif 000003
【図２】
2006034334.tif 000004
【図３】
2006034334.tif 000005
【図４】
2006034334.tif 000006
【図５】
2006034334.tif 000007
【図６】
2006034334.tif 000008
【図７】
2006034334.tif 000009
【図８】
2006034334.tif 000010
【図９】
2006034334.tif 000011
【図１０】
2006034334.tif 000012
【図１１】
2006034334.tif 000013
【図１２】
2006034334.tif 000014
【図１３】
2006034334.tif 000015
【図１４】
2006034334.tif 000016
【図１５】
2006034334.tif 000017
【図１６】
2006034334.tif 000018
【図１７】
2006034334.tif 000019
【図１８】
2006034334.tif 000020
【図１９】
2006034334.tif 000021
【図２０】
2006034334.tif 000022
【図２１】
2006034334.tif 000023